(57)【要約】  本開示は、デバイスの目に見える表面の美的外観および構造的完全性を維持しながらデバイスを組み立てるためのシステムおよび方法を提供する。本発明の１つまたは複数の実装形態では、システムが、第１および第２の接続要素によって画定される開口部を備える組み立て領域を備える第１の組み立て部片を有する。システムが第２の組み立て部片および締着組立体をさらに有し、ここでは、第２の組み立て部片の一部分が組み立て領域の開口部内に適合するように成形され、締着組立体が第１および第２の接続要素を橋渡しし、第１の組み立て部片を第２の組み立て部片に固定し、ここでは、締着組立体を締めると、第２の接続要素が変形して、第２の接続要素の表面を第１の接続要素の隣接する表面に押圧し、デバイスの実質的に一様な目に見える表面を維持する。
2020503074.tif 000002
【特許請求の範囲】
【請求項１】
デバイスの目に見える表面の美的外観および構造的完全性を維持しながらデバイスを組み立てるためのシステムであって、前記システムが、
第１の組み立て部片であって、前記第１の組み立て部片が少なくとも１つの組み立て領域を備え、前記少なくとも１つの組み立て領域が、第１の接続要素および第２の接続要素によって画定される開口部を備える、第１の組み立て部片と、
第２の組み立て部片であって、前記第２の組み立て部片の少なくとも一部分が前記開口部内に適合するように成形される、第２の組み立て部片と、
前記第１の組み立て部片を前記第２の組み立て部片に固定するように、前記第１の接続要素および前記第２の接続要素を橋渡しするように構成される締着組立体であって、前記締着組立体を締めると、前記第２の接続要素が変形し、それにより、前記第２の組み立て部片の表面を前記第１の接続要素の隣接する表面に押圧して、前記目に見える表面の実質的に一様な表面を維持する、締着組立体と
を備える、システム。
【請求項２】
前記第１の接続要素が前記第１の組み立て部片の一部分である、請求項１に記載のシステム。
【請求項３】
前記デバイスがグリルを含み、前記第１の組み立て部片がグリルスカートを含み、前記第２の組み立て部片が支持脚部を含み、前記デバイスの前記目に見える表面が前記グリルスカートの目に見える表面を含む、請求項１に記載のシステム。
【請求項４】
前記グリルが組み立てられると、前記グリルスカートの前記目に見える表面の前記美的外観および前記構造的完全性が維持される、請求項３に記載のシステム。
【請求項５】
前記締着組立体がねじ式固定具の嵌合対を備える、請求項１に記載のシステム。
【請求項６】
前記ねじ式固定具の嵌合対がナット・ボルトを備える、請求項５に記載のシステム。
【請求項７】
前記第１および第２の接続要素が同じ材料を含む、請求項１に記載のシステム。
【請求項８】
前記第１の接続要素が第１の材料を含み、前記第２の接続要素が第２の材料を含み、前記第２の材料が前記第１の材料とは異なる、請求項１に記載のシステム。
【請求項９】
前記第２の材料が展性金属を含み、前記第２の材料が前記第１の材料より高い展性を有する、請求項８に記載のシステム。
【請求項１０】
前記第２の接続要素が、前記第１の接続要素の厚さより小さい厚さを有する材料を含む、請求項１に記載のシステム。
【請求項１１】
前記第２の接続要素が、圧縮応力に作用されるときに前記第２の接続要素の少なくとも一部分を変形させる１つまたは複数の多孔性領域または予め脆弱化される領域を備える、請求項１に記載のシステム。
【請求項１２】
前記第２の組み立て部片の前記表面が、前記第１の接続要素の前記隣接する表面に相補的である輪郭を備え、その結果、前記表面および前記隣接する表面が一体に押圧されるとき、前記締着組立体を締めると、前記第１および第２の接続要素が一体に圧縮され、前記第１の組み立て部片の変形を防止する、請求項１に記載のシステム。
【請求項１３】
前記第２の組み立て部片の前記表面が、前記第１の接続要素の前記隣接する表面に相補的である輪郭を備え、その結果、前記表面および前記隣接する表面が一体に押圧されるとき、前記締着組立体を締めると、前記第１の接続要素が前記第２の組み立て部片の前記表面の前記輪郭に一致する、請求項１に記載のシステム。
【請求項１４】
デバイスの目に見える表面の美的外観および構造的完全性を維持しながらデバイスを組み立てる方法であって、前記方法が、
第１の組み立て部片を第２の組み立て部片に位置合わせするステップであって、前記第１の組み立て部片が第１の接続要素および第２の接続要素を備える、ステップと、
前記第１の接続要素、前記第２の接続要素および前記第２の組み立て部片を一体に圧縮するように構成される締着組立体を使用して、前記第１の組み立て部片を前記第２の組み立て部片に固定するステップと、
前記締着組立体を締めるステップであって、その結果、前記第２の接続要素が変形し、それにより、前記第２の組み立て部片の表面を前記第１の接続要素の隣接する表面に押圧し、その結果、前記第１の接続部片の目に見える表面が実質的に一様な表面を維持する、ステップと
を含む、方法。
【請求項１５】
前記第１の接続要素および前記第２の接続要素によって画定される開口部の中に、前記第２の組み立て部片の一部分を挿入するステップをさらに含む、請求項１４に記載の方法。
【請求項１６】
前記第１の組み立て部片を前記第２の組み立て部片に固定するステップが、前記締着組立体を用いて前記第１の接続要素および前記第２の接続要素を橋渡しするステップを含む、請求項１４に記載の方法。
【請求項１７】
グリルスカートであって、前記グリルスカートが、
実質的に一様な目に見える表面、および、
所定の表面形状または輪郭を有する脚部取り付け領域、
を備える、グリルスカートと、
固定要素であって、前記固定要素が、前記固定要素と前記脚部取り付け領域との間に開口部が画定されるように前記脚部取り付け領域に付随する、固定要素と、
脚部であって、前記脚部の少なくとも一部分が前記開口部内で受けられるように構成される、脚部と、
締着組立体であって、前記締着組立体が、前記グリルスカート、前記脚部および前記固定要素を橋渡しするように構成され、前記締着組立体を締めると、前記固定要素が変形し、それにより前記脚部を前記脚部取り付け領域に押圧して、前記グリルスカートの前記実質的に一様な目に見える表面を維持する、締着組立体と
を備える、グリルスカートの目に見える表面を変形させることなく脚部をグリルスカートに取り付けるためのシステム。
【請求項１８】
前記実質的に一様な目に見える表面および前記脚部が相補的な表面形状を有する、請求項１７に記載のシステム。
【請求項１９】
前記固定要素が、前記グリルスカートより小さい力で変形するように構成される、請求項１７に記載のシステム。
【請求項２０】
前記固定要素が、前記グリルスカートを形成する材料とは異なるかまたはそれより薄い材料で形成され、
前記固定要素が、圧縮応力に作用されるときに前記固定要素の少なくとも一部分を変形させる１つまたは複数の多孔性領域または予め脆弱化される領域を備える、
請求項１９に記載のシステム。
【発明の詳細な説明】
【技術分野】
【０００１】
本出願は、参照によりその内容全体が本明細書に組み込まれる、ＬＥＧ  ＡＳＳＥＭＢＬＹ  ＭＥＴＨＯＤＳ  ＡＮＤ  ＳＹＳＴＥＭＳと題される、２０１６年１２月２７日に出願された、米国仮特許出願第６２／４３９，２１５号の優先権および利益を主張するものである。
【０００２】
本開示は、概して、デバイスの組み立て中に構成要素を取り付けるおよび／または固定するシステムおよび方法に関する。より詳細には、本開示は、デバイスの組み立て中にその美的なおよび構造的な完全性を維持しながら、構成要素を取り付けるおよび／または固定するシステムおよび方法に関する。
【背景技術】
【０００３】
製造および配送の進歩により、大量の組み立て式消費財を制作、パッケージングおよび配送することが可能となっている。いくつかの例では、卸売業者または小売業者が、売渡し時点の前に消費財を組み立てるが、組み立て式消費財を組み立ての指示と共にパッケージングすることも一般的であり、それにより、家でまたは別の好適なロケーションで消費者自身がパッケージングされたデバイスを組み立てることが可能となる。デバイスを誰が組み立てたかということに関係なく、大抵の場合、最終的に組み立てられた製品が意図される通りに機能すること、ならびに組み立てプロセスがデバイスの全体の構造的完全性および美的外観に著しく影響しないことが重要である。
【０００４】
美的特徴は、一般消費者向けデバイスの認識される品質および出来栄え（ｗｏｒｋｍａｎｓｈｉｐ）において大きな役割を果たす可能性がある。例えば、デバイス上に割れ目、ひっかき傷または窪みが存在する場合、一部の消費者（また、さらには、一部の卸売業者および小売業者）が、たとえ、割れ目、ひっかき傷または窪みが、デバイスの設計された機能性またはその構造的完全性に影響し得ない場合であっても、その製品が低品質の材料で構成されているかまたはそれ以外でも欠陥を有している、と推測する可能性がある。逆に、美的な形状不良を有さないデバイスは高水準の出来栄えおよび製品品質を暗に意味し得、これがさらに、製品に対しての消費者の信頼性および満足度を高めることになり得る。
【０００５】
残念ながら、一部の品物は、製造後の組み立てプロセスの結果として美的に好ましくない形状不良を有することがある。このような形状不良はデバイスの品質または構造的完全性に実際には影響しないこともあるが、それでも、そのデバイスは、それが何らかの形で異常のあるデバイスである、または、そのデバイスの構造的完全性に何らかの欠陥があるという消費者の認識に悩まされる可能性がある。
【０００６】
したがって、デバイスを組み立てるシステムおよび方法には、対処することができる複数の欠点がある。
【発明の概要】
【課題を解決するための手段】
【０００７】
本開示の実装形態が、デバイスの目に見える表面の美的外観および構造的完全性を維持しながら、デバイスを組み立てるためのシステムおよび方法により、当技術分野の上記のまたは他の問題のうちの１つまたは複数の問題を解決する。具体的には、１つまたは複数の実施形態において、システムが、第１および第２の接続要素によって画定される開口部を備える組み立て領域を備える第１の組み立て部片を有する。システムが第２の組み立て部片をさらに有し、ここでは、第２の組み立て部片の一部分が、組み立て領域の開口部内に適合するように成形される。システムが、第１および第２の接続要素を橋渡しするように、ならびに、第１の組み立て部片を第２の組み立て部片に固定するように、構成される締着組立体をさらに有する。締着組立体を締めると、第２の接続要素が変形して、第２の組み立て部片の表面を第１の接続要素の隣接する表面に対して押圧することができ、その結果、第１の接続要素の目に見える表面が実質的に一様な表面を維持する。
【０００８】
本開示のシステムおよび方法が、グリルスカート（ｇｒｉｌｌ  ｓｋｉｒｔ）の目に見える表面を変形させることなく脚部をグリルスカートに取り付けるためのシステムをさらに含むことができる。具体的には、１つまたは複数の実装形態において、システムが、実質的な一様な目に見える表面を備えるグリルスカートと、弓形表面を有する脚部取り付け領域と、を有する。システムが脚部取り付け領域に付随する固定要素をさらに有し、その結果、固定要素と脚部取り付け領域との間に開口部が画定される。システムが脚部をさらに有し、ここでは、脚部の少なくとも一部分が固定要素の開口部内で受けられるように構成される。システムが、グリルスカートおよび固定要素を橋渡しするように構成される締着組立体をさらに有することができ、ここでは、締着組立体を締めると、固定要素が変形して、脚部取り付け領域に対して脚部を押圧することができ、グリルスカートの実質的に一様な目に見える表面を維持する。
【０００９】
本開示のシステムおよび方法が、デバイスの目に見える表面の美的外観および構造的完全性を維持しながら、デバイスを組み立てる方法をさらに含むことができる。具体的には、１つまたは複数の実装形態が、実質的に一様な表面を有する第１の組み立て部片を、第２の組み立て部片に位置合わせするステップを含む方法を提供し、ここでは、第２の組み立て部片の少なくとも一部分が、第１の組み立て部片に付随する組み立て領域の第１の接続要素および第２の接続要素によって画定される開口部内に適合するように成形される。この方法が、第１の接続要素および第２の接続要素を橋渡しするように構成される締着組立体を使用して第１の組み立て部片を第２の組み立て部片に固定するステップをさらに含む。この方法が締着組立体を締めるステップをさらに含み、その結果、第２の接続要素が変形して、第２の組み立て部片の表面を第１の接続要素の隣接する表面に対して押圧することができ、その結果、第１の組み立て部片の目に見える表面が実質的に一様な表面を維持する。
【００１０】
したがって、デバイスの目に見える表面の美的外観および構造的完全性を維持しながら、デバイスを組み立てるためのシステムおよび方法が開示される。
本概要は、詳細な説明において後でさらに説明される単純な形態の概念の一選択を紹介するために提供されるものである。本概要は、特許請求される主題の重要な特徴または本質的な特徴を特定することを意図されず、また、特許請求される主題の範囲を示すものとして使用されることを意図されない。
【００１１】
本開示の追加の特徴および利点が後述の説明に記載される。これらの追加の特徴および利点は、部分的に、本記述から明らかとなるか、または、本開示を実施することにより認識され得る。本開示の特徴および利点は、添付の特許請求の範囲で具体的に明示される器具および組み合わせによって実現および達成され得る。後述の説明および添付の特許請求の範囲から本開示のこれらのおよび他の特徴がより完全に明らかとなるか、または、後述に記載されるように本開示を実施することにより本開示のこれらのおよび他の特徴が認識され得る。
【００１２】
本開示の上記に列挙される利点および特徴ならびに他の利点および特徴を達成することができる手法を説明するために、添付図面に示される本開示の具体的な実施形態を参照することにより、上記で簡単に説明された本開示をより具体的に説明する。これらの図面が本開示の典型的な実施形態のみを描いており、したがって、本開示の範囲を限定するものとしてみなされない、ことを認識されたい。
【図面の簡単な説明】
【００１３】
【図１】本開示の１つまたは複数の実装形態による、美的におよび構造的に維持される目に見える表面を有する例示の組み立てられたシステムを示す斜視図である。
【図２】本開示の１つまたは複数の実装形態による、美的におよび構造的に維持される目に見える表面を有する例示の組み立てられたシステムを示す底面図である。
【図３Ａ】本開示の１つまたは複数の実装形態による、例示のシステムの目に見える表面が美的におよび構造的に維持されるところの組み立て領域を示す正面図である。
【図３Ｂ】本開示の１つまたは複数の実装形態による組み立て領域を示す背面図である。
【図３Ｃ】本開示の１つまたは複数の実装形態による組み立て領域を示す断面図である。
【図４】本開示の１つまたは複数の実装形態による、目に見える表面の美的外観および構造的完全性を維持しながら、デバイスを組み立てるための例示の方法を示す流れ図である。
【発明を実施するための形態】
【００１４】
本開示の種々の実施形態を詳細に説明する前に、本開示が、具体的に例示されるシステム、方法、装置、製品、プロセスおよび／またはキットのパラメータのみに限定されず、また、具体的に例示されるシステム、方法、装置、製品、プロセスおよび／またはキットのパラメータがもちろん変化し得る、ことを理解されたい。したがって、具体的な構成、パラメータ、構成要素、要素などを参照して本開示の特定の実施形態を詳細に説明するが、本記述は説明のためのものであり、特許請求される本発明の範囲を限定するものとして解釈されない。加えて、本明細書で使用される専門用語は実施形態を説明することを目的としており、特許請求される本発明の範囲を限定することを必ずしも意図されない。
【００１５】
理解を促進するために、可能である場合、複数の図に共通する同様の要素を示すのに同じ参照符号（すなわち、構成要素および／または要素の同じ番号付け）が使用される。具体的には、図に示される例示の実施形態では、可能である場合、同様の構造、または、同様の機能を有する構造が、同様の参照番号を与えられる。本明細書では、例示の実施形態を説明するのに具体的な言い回しが使用される。しかし、それにより本開示の範囲が限定されることが意図されないことを理解されたい。むしろ、例示の実施形態を説明するのに使用される言い回しが単に説明のためのものであり、本開示の範囲を限定するものとして解釈されない（このような言い回しが必須であるとして本明細書で明確に説明されない限りにおいて）、ことを理解されたい。
【００１６】
本開示の実装形態が、デバイスの目に見える表面の美的外観および構造的完全性を維持しながら、デバイスを組み立てるためのシステムおよび方法の技術における１つまたは複数の問題を解決する。多くのデバイスが、個別の部品を大量に作製してその後で、これらの部品を製造後に組み立てて機能的な装置またはシステムにする、という形で、個別に作られる。多くの一般消費者向けデバイスおよびシステム（また、さらには、多くの産業用デバイスおよびシステム）は、組み立ての準備のできた状態で販売されるかまたは別の形で提供される。したがって、デバイスおよび／またはシステムが、組み立てプロセスの間においておよび組み立てプロセスの後で、その構造的完全性および適切な美的外観を維持する、ことが有利である。
【００１７】
例えば、多くの組み立て式デバイスおよびシステムは組み立てのための一般的なツールを必要とし、それにより、平均的な消費者、卸売業者または小売業者が、デバイス／システムを適切に組み立てるのに必要なツールを有することの可能性が上がる。したがって、大抵の場合、組み立て式システムが、組み立て中に１つまたは複数の部片を一体に結合するための様々な一般的な固定具のうちの何らかの固定具を提供される。このような組み立て式デバイスにしばしば含まれる一部の固定具には、圧縮力を介して１つまたは複数の部片を一体に結合する固定具（例えば、例としてはボルト・ナットなどのような、ねじ式の嵌合対（ｔｈｒｅａｄｅｄ  ｍａｔｉｎｇ  ｐａｉｒ））が含まれる。これらの種類の固定具は一般的であり、組み立て式家具で使用されることにおいて多くの利点を有するが、固定具が過度に締められることが可能であり、それにより付随の組み立て部片が圧縮力の結果として変形する、可能性がある。
【００１８】
このような変形は、最悪の場合、デバイスの構造的完全性の壊滅的な破壊を引き起こし、それにより、影響を受ける部分（また可能性として、デバイス自体の全体）が、構造的に不良となり、使用不可となる。いくつかの事例では、変形により、デバイスの構造的完全性に認識可能には影響しないようなわずかな形状不良を発生させる可能性がある。しかし、このようなわずかな形状不良もデバイスの美的外観に影響する可能性があり、美的外観の欠陥（例えば、変形／形状不良）（具体的には、目に見える表面に影響する欠陥）は、デバイスが構造的に不良であるか、不十分にまたは安っぽく構成されているか、あるいは、他の点で望ましくないものである、という認識をもたらす可能性が高い。
【００１９】
非限定の例としては、多くのバーベキューグリルおよび／またはスモーキンググリル（以下で、「グリル」）が個別の部品で大量生産されて製造後の環境において組み立てられる。例示の組み立てられたグリル１００が図１に描かれており、これが、グリルボディ１０２と、１つまたは複数の脚部１０４と、１つまたは複数の脚部１０４の少なくとも一部分を覆うグリルスカート１０６とを備える。組み立てプロセス中、脚部１０４が、グリルスカートおよび１つまたは複数の脚部１０４を貫通する１つまたは複数の締着組立体１０８によりメインボディ１０２に取り付けられる。しかし、締着組立体１０８を締めると、締着組立体が付随の脚部１０４をグリルスカート１０６の方に引き、それらと固定関係を形成し、そうすることにより、固定具のヘッド（グリルスカートに隣接する）が非常に大きい局部的な圧縮力を受け、それにより可能性として、窪みを生じさせるかまたは他の形でグリルスカート１０６の目に見える表面１１０を変形させる。
【００２０】
グリルスカートの目に見える表面のこのような変形はグリルの構造的完全性に認識可能には影響しない可能性があるが、美的に不快である可能性があり、それにより、製品の品質またはその機能性に関しての複数の否定的な推測のうちの何らかを思い起こさせる可能性がある。一方で、変形が、グリルの構造的完全性に実際に影響するくらいに深刻である可能性もある。
【００２１】
目に見える表面と固定具のヘッドとの間に配置される平ワッシャを例えば使用することにより、目に見える表面にかかる力を分散させることが可能となり得る。平ワッシャは、通常、力をより大きい表面積に散布させるのに使用され得、それにより、加えられる圧縮力の結果として変形が生じる可能性が低減されるが、加えられる力によっては、平ワッシャも変形する可能性がある。加えてまたは別法として、ワッシャの下の表面がワッシャに加えられる力により変形する可能性がある。また、平ワッシャは、ワッシャが目に見える表面上に配置される場合には特に、デバイスの美的外観を損なう可能性があり、また、組み立てられた物体の所望の見た目を維持するために、平ワッシャの使用が実施可能ではない可能性もある。したがって、追加的なまたは別法のシステムおよび方法が必要となる。
【００２２】
本開示の実装形態が、デバイスの目に見える表面の美的外観および構造完全性を維持しながらデバイスを組み立てるのを可能にする。いくつかの実装形態がグリルを具体的に参照することを対象とすることができるが、本明細書で提供される本発明の概念が、組み立てられる任意のデバイスおよび／またはシステムに、あるいは、締着組立体を使用して２つ以上の部片を結合する任意のデバイスおよび／またはシステムに、適用可能であることを理解されたい。
【００２３】
概して、本開示の実装形態は、デバイスの目に見える表面の美的外観および構造的完全性を維持しながらデバイスを組み立てるためのシステムの範囲に及ぶ。１つまたは複数の実装形態では、システムが、第１および第２の組み立て部片と、締着組立体とを備える。第１の組み立て部片が、第１および第２の接続要素によって画定される開口部を有する少なくとも１つの組み立て領域を備えることができ、ここでは、第２の組み立て部片の少なくとも一部分が開口部内に適合するように成形される。一実装形態では、第１の接続要素が第１の組み立て部片の一部分である。１つまたは複数の実装形態では、締着組立体が、第１の接続要素および第２の接続要素を橋渡しするように構成され得、それにより第１の組み立て部片を第２の組み立て部片に固定し、また、締着組立体が締められると、第２の接続要素が変形して、第２の組み立て部片の表面を第１の接続要素の隣接する表面に対して押圧することができる。
【００２４】
上記は図面を参照してより具体的に説明され得る。例えば、図１が、美的におよび構造的に維持される目に見える表面１０６を有する例示の組み立てられたシステム（すなわち、グリル）の斜視図を描いており、図２が、図１のシステムの底面図を示している。描かれる実装形態では、上で言及した第１の組み立て部片がグリルスカート１０６を備え、上で言及した第２の組み立て部片が支持脚部１０４を備え、上で言及した目に見える表面がグリルスカート１０６の目に見える表面１１０を備え、締着組立体が固定具１０８を備える。
【００２５】
図３がさらに、本開示の１つまたは複数の実装形態を示す。つまり、図１および２に示される組み立て領域１０５の種々の図が図３に提示される。図３Ａが組み立て領域１０５の正面図を示しており、図３Ｂが組み立て領域１０５の背面のおよび／または底面の斜視図を示しており、図３Ｃが本開示の１つまたは複数の実装形態による組み立て領域１０５の断面図を示している。
【００２６】
おそらく図３Ａでより明瞭に示されているように、締着組立体１０８のヘッド１０８ａがグリルスカート１０６に付随している場合は特に、グリルスカート１０６の目に見える表面１１０が実質的に一様であり、変形していない（つまり、目に見える表面１１０がその美的外観および構造的完全性を維持している）。
【００２７】
次に図３Ｂを参照すると、組み立て領域１０５の背面斜視図が描かれている。示されるように、締着組立体１０８のねじ切りされたロッド１０８ｂが、第２の組み立て部片（例えば、支持脚部）１０４および第２の接続要素１１２を貫通している。平ワッシャ１０８ｄおよびねじナット１０８ｃがそれに付随している。
【００２８】
おそらく図３Ｃによって最も良好に描かれているように、組み立て領域１０５が締着組立体を備え、締着組立体が、描かれているように、ねじボルト１０８ｂおよび相補的なねじナット１０８ｃを備え、さらにそれら２つの間に挿置される平ワッシャ１０８ｄを備える、ねじ式固定具の嵌合対である。本開示の１つまたは複数の実装形態では、平ワッシャ１０８ｄが締着組立体から排除されてもよい。加えてまたは別法として、追加の平ワッシャが、当業者には既知でありまたは当業者によって一般的に使用されているような定位置で使用されてもよい。図３Ｃに示されるように、締着組立体１０８のヘッド１０８ａが第１の組み立て部片１０６（例えば、グリルスカート）の目に見える表面１１０に隣接し、平ワッシャ１０８ｄが第２の接続要素１１２に隣接し、さらにねじナット１０８ｃに隣接する。本開示の１つまたは複数の実装形態では、締着組立体が、圧縮により２つ以上の物体を締着する当技術分野で既知の任意の締着組立体を備えることができ、これには、限定しないが、ねじ式の嵌合対およびリベットなどが含まれる。
【００２９】
締着組立体１０８により１つまたは複数の構成要素を締めるとおよび／または圧縮すると、第２の接続要素１１２が第２の組み立て部片１０４の方に変形することができるかまたは他の形で圧縮され得、それにより、第２の組み立て部片１０４の表面１１６を第１の接続要素１１１の隣接する内部表面１１８に対して押圧する。１つまたは複数の実装形態では、図３Ｃに描かれるように、第２の組み立て部片１０４の表面１１６が第１の接続要素１１１の隣接する表面１１８の少なくとも一部分に相補的であり、その結果、第２の組み立て部片１０４が、第１の接続要素１１１に対する型枠として機能して、締着組立体１０８を締めるときに第１の接続要素１１１に加えられる力の分散を補助する。１つまたは複数の実施形態では、このような力の分散が、第１の組み立て部片１０６の目に見える表面１１０の実質的に一様な表面を維持するように作用する。
【００３０】
本開示では、「実質的に一様な表面」という用語は、その表面を備えるデバイスの組み立て中に表面に直接にまたは間接的に加えられる圧縮力の結果として故障する（例えば、変形する、隆起する、窪む、など）ことがなかった表面を意味するものとして理解される。したがって、「実質的に一様な表面」という用語が、任意の数のまたは任意の種類の成形表面（例えば、弓形、平坦、など）に属する表面を参照するものであることが理解されよう。例えば、弓形表面を備えるデバイスの組み立て中に加えられる圧縮力の結果として表面が故障する（例えば、変形する、隆起する、窪む、など）ことがなかった以上、弓形表面は、弓形表面の輪郭に沿って実質的に一様な表面を備えることができる。別の実施例では、２つの個別の平坦表面を有する表面を備えるグリルスカートが（例えば、表面上に、設計された溝または凹部が存在する）、２つの個別の平坦表面を有する表面を備えるデバイスの組み立て中に加えられる圧縮力の結果としていずれの平坦表面も故障する（例えば、変形する、隆起する、窪む、など）ことがなかった以上、実質的に一様な表面を維持する。
【００３１】
言い換えると、また、グリルの例示の実施形態を具体的に参照すると、グリルが組み立てられて付随の固定具が締められると、第２の接続要素が縮むことができおよび／または変形することができ、脚部をグリルスカートの内部表面の中に押し込むことができる。その際、脚部がグリルスカート用の型枠となり、および／または、そのような型枠として機能し、その結果、ねじボルト・ナットの固定具を追加的に締めることにより、グリルスカートが脚部の輪郭に一致するようになる。このような方法で、その構造的完全性に加えて、グリルスカートの目に見える表面の美的外観が維持される。これは、締着組立体を締めて同時に固定具のヘッドによりグリルスカートを局部的に圧縮するときにグリルスカートの目に見える表面に窪みおよび／または変形を生じさせるような、（可能性として、それ自体が、グリルスカートの構造的完全性に影響する）、圧縮可能なおよび／または変形可能な第２の接続要素を有さないようなグリルとは異なる。
【００３２】
さらに、圧縮可能なおよび／または変形可能な第２の接続要素が脚部をグリルスカートに密着させるのを可能にし、また、ねじボルトまたは他の固定具が締められるかまたは他の形で固定されると、脚部がグリルスカートとより密な関係となる。上で示したように、これがグリルスカートの目に見える表面を維持するが、他の機能的利点も提供する。例えば、脚部がグリルにより固定的に締着され、より頑丈な組立体を提供する。つまり、いくつかの実施形態では、このような組立体が「安定しない」脚部を有するようになることの可能性が低くなる。むしろ、このように取り付けられる脚部は地面の上に四角に着座する可能性が高く、この場合は、組み立てられたシステムの安定性を向上させるという追加の利点を提供する。
【００３３】
したがって、本発明は、グリルを含むようなおよびグリルを含まないような、種々の組み立てられるシステムに適用され得る。例えば、組み立てられるテーブルが、テーブル縁部の周囲部分のところで類似のスカートに取り付けられる脚部を有することができるか、または、脚部をそれに固定するために類似の手法で機能する変形可能な側面を備えるスリーブを有することができ、そうすることにより、美的外観を維持し、および／または、組み立てられた物体の構造的完全性を向上させる。
【００３４】
図１〜４に関連して上述したような方式と同様の方式で、本開示の実施形態が、任意の数の形状の脚部および／またはスカートを有する組み立てられるシステムに適用され得る。一実施形態では、脚部が角を有する（例えば、正方形、多角形、または、同様の形）。他の実施形態では、脚部が弓形である（例えば、円形（添付図に示されるような）、長円形、または、同様の形）。他の実施形態では、脚部が、角を有する幾何形状と弓形の幾何形状との組み合わせである（例えば、円錐台形など）。一般に、脚部は、例えば、椅子、テーブル、デスクなどを含めた、任意の組み立てられるシステムの一部であってよく、組み立てられる物体に対してさらなる利点を追加することができ、ここでは、脚部がスカート（または、類似の構成要素）と強制的に相互作用させられることを介して構造的に補強されることを理由として、脚部の上方の表面の重量が、付随のスカート（または、類似の構成要素）の重量より大きいか、または実質的に大きい。
【００３５】
本明細書で使用される「類似」という用語は、概して、２つの物の間の比較可能な関係を暗に意味する。例えば、比較可能な手法（または、さらには実質的に等しい手法）であるいは比較可能な（または、実質的に等しい）構成要素、モジュールなどを用いて実行される方法は、類似であると理解される。いくつかの事例では、「類似」という用語は、１つまたは複数の構成要素、要素などの、同類のものを暗に意味する。例えば、複数の脚部を備えるグリルが単一のスカートに取り付けられ得る。各脚部が、同じグリル組立体の互いの脚部に類似するとみなされる。同様に、２つの類似のまたは実質的に類似のグリルからの脚部は、それらが直立姿勢でグリルを維持するという同じ機能または実質的に同じ機能を果たすことを理由として、類似なものである。同じ手法でまたは同様の形で、グリルスカートが、テーブルまたは椅子の中にあるような類似の構成要素を有することができ、その結果、類似の構成要素がグリルスカートと比較可能な関係（機能的な意味、または、他の意味）を維持することになる。例えば、テーブルにおいて存在するような、グリルスカートに類似の構成要素が、角を有するテーブル脚部を受けるような、角を有する形態を有し、角を有する類似の構成要素の一方の端部が変形し、脚部を類似の構成要素の１つまたは複数の側面に一致させ、その結果、脚部が、その類似の構成要素に追加の構造的完全性を提供し、および／または、組み立てられたテーブルの安定性を向上させ、特には、テーブルに組み付けられた脚部の構造安定性を向上させる。したがって、本開示の範囲から逸脱することなく、本開示の１つまたは複数の実施形態において類似のスカートおよび／または脚部が使用され得る。
【００３６】
本開示の１つまたは複数の実施形態では、第１の接続要素が、第１の組み立て部片の少なくとも一部分と同じである。
本開示の１つまたは複数の実装形態では、第２の接続要素が縮むおよび／または変形する。これが、例えば、第１の接続要素と同じ材料で作られる第２の接続要素を有することにより、実施され得るが、ここでは、第２の接続要素の厚さが第１の接続要素の厚さより小さい。このような実装形態では、第２の接続要素が、第１の接続要素より小さい圧縮応力で故障する（例えば、縮むおよび／または変形する）。そうすることにより、第２の接続要素が故障時に第２の組み立て部片の方に向かって縮むことになり、それにより、第２の組み立て部片が第１の組み立て部片の方に押し込まれることになり、また、第１の接続要素および第２の組み立て部片の形状が相補的であるような１つまたは複数の実施形態では、第２の組み立て部片が第１の接続要素に対して対となる形状として機能する。このような方式で、第１の接続要素に加えられる追加の力が力を散布し、それにより、第１の接続要素／第１の組み立て部片の目に見える表面を実質的に一様な状態（例えば、窪んでいない状態、および／または、変形していない状態）で効果的に維持する。
【００３７】
本開示の１つまたは複数の実施形態では、同じ材料の厚さを異なるものにすることに対して追加的にまたは別法として、第１および／または第２の接続要素に異なる材料を組み込むことにより、上記のことが達成され得る。例えば、第２の接続要素が、第１の接続要素を含む１つまたは複数の材料より小さい圧縮応力で変形する１つまたは複数の材料を含むことができる。非限定の実施例として、第１の接続要素が鋼を含むことができ、対して、第２の接続要素が、より高い展性を特徴とするアルミニウムまたはアルミニウム合金を含むことができる。言い換えると、第２の接続要素を含む金属が、第１の接続要素を含む金属より小さい圧縮力および／または衝撃力で変形することになり、それにより、異なる厚さを有する第１および第２の接続要素に関連して上述した変形と実質的に同じ目的を達成する。
【００３８】
本開示の１つまたは複数の実装形態では、第２の材料が、第１の接続要素および／または第１の組み立て部片の任意の部分よりも先に第２の接続要素を縮ませるような、熱可塑性エラストマまたは他の可撓性プラスチックおよび／もしくはエラストマ、あるいは、当業者には既知の任意の他の材料を含む。
【００３９】
本開示の１つまたは複数の実装形態では、第１の接続要素および第２の接続要素が同じ（または、異なる）材料を含むことができ、ここでは、第２の接続要素が予め脆弱化されるセクションおよび／または多孔性セクションを備え、これらが、第１の接続要素を（および、いくつかの実施形態では、第１の接続部片）を変形させたりしないようなまたは他の形で故障させたりしないような圧縮応力により第２の接続要素を縮ませるおよび／または変形させることになり、それにより、実質的に一様である第１の接続部片の目に見える表面を維持する。
【００４０】
図３を継続して参照すると、第２の組み立て部片１０４が、第１の接続要素１１１および第２の接続要素１１２によって画定される開口部１２０内に配置されて描かれている。別の言い方をすると、第２の組み立て部片１０４が、第１の接続要素１１１および第２の接続要素１１２によって画定される開口部１２０内に適合するように成形される。本開示の１つまたは複数の実装形態では、第２の組み立て部片１０４が複数の締着組立体１０８に付随する。図３に描かれるように、第２の組み立て部片１０４が２つの締着組立体１０４に付随する。１つまたは複数の実装形態では、第１の組み立て部片１０６および第２の組み立て部片１０４が単一の締着組立体１０８に付随する。少なくとも１つの締着１０８が少なくとも一対の第１の組み立て部片１０６および第２の組み立て部片１０４に付随する限りにおいて、締着組立体の数および／または種類は多様であってよい。
【００４１】
次に図４を参照すると、本開示の１つまたは複数の実装形態による、目に見える表面の美的外観および構造的完全性を維持しながらデバイスを組み立てるための例示の方法４００を示す流れ図が描かれている。図４の方法が、第１の組み立て部片を第２の組み立て部片に位置合わせするステップ４０２を含むことができ、ここでは、第１の組み立て部片が第１の接続要素および第２の接続要素を備える。本開示の１つまたは複数の実装形態では、ステップ４０２が、図１〜３に示されるようにグリルを組み立てるときに実施され得る。より具体的には、ステップ４０２がグリルスカートを支持脚部に位置合わせすることを含むことができ、ここでは、グリルスカートが実質的に一様な目に見える表面を有し、支持脚部が、グリルスカートの第１および第２の接続要素によって画定される組み立て領域の開口部内に適合するように成形される。
【００４２】
図４の方法が、第１の接続要素、第２の接続要素および第２の組み立て部片を一体に圧縮するように構成される締着組立体を使用して、第１の組み立て部片を第２の組み立て部片に固定するステップ４０４をさらに含むことができる。本開示の１つまたは複数の実装形態では、ステップ４０４が、グリルスカートおよび支持脚部を橋渡しするねじ式の嵌合対を使用してグリルスカートを支持脚部に固定することを含むことができる。
【００４３】
図４の方法が締着組立体を締めるステップ４０６をさらに含むことができ、その結果、第２の接続要素が変形し、それにより、第２の組み立て部片の表面を第１の接続要素の隣接する表面に押圧し、その結果、第１の接続部片の目に見える表面が実質的に一様な表面を維持する。本開示の１つまたは複数の実装形態では、ステップ４０６がねじ式の嵌合対を締めることを含むことができ、第２の接続要素が変形し、支持脚部をグリルスカートの内部表面の中に押し込む。したがって、支持脚部が、ねじ式の嵌合対によって加えられる圧縮力の結果としてグリルスカートを変形させないような形状としてとして機能することができる（グリルスカート上で実質的に一様な目に見える表面を実質的に維持する）。
【００４４】
本開示を手にした当業者には思い付くような、本明細書に示される本発明の特徴の種々の変形形態および／または修正形態、ならびに、本明細書に示される原理の追加の適用が、特許請求の範囲によって定義される本発明の精神および範囲から逸脱することなく、示される実施形態に対して作られ得、これらは、本開示の範囲内にあるとみなされる。したがって、本明細書では種々の態様および実施形態が開示されるが、他の態様および実施形態も企図される。本明細書で説明されるものと同様のまたは等価の多くの方法および構成要素が本開示の実施形態を実施するのに使用され得るが、本明細書では特定の例示の構成要素および方法のみが説明される。
【００４５】
また、本開示の特定の実施形態による、システム、デバイス、製品、キット、方法、および／または、プロセスが、本明細書で開示および／または説明される他の実施形態において説明される特性、特徴（例えば、構成要素、部材、要素、部品、および／または、部分）を有することができるか、組み込むことができるか、または、他の形で含むことができるということを認識されたい。したがって、特定の実施形態の種々の特徴は、本開示の他の実施形態に適合され得、組み合わされ得、含まれ得、および／または、組み込まれ得る。したがって、本開示の具体的な実施形態に関連する特定の特徴の開示は、上記の特徴がそのような具体的な実施形態のみに限定的に適用されたりまたは含まれたりする、として解釈されるべきではない。むしろ、他の実施形態も、本開示の範囲から必ずしも逸脱することなく、上記の特徴、部材、要素、部品、および／または、部分を含むことができる、ということを認識されたい。
【００４６】
また、１つの特徴がそれとの組み合わせで別の特徴を必要とするものとして説明されない限りにおいて、本明細書のいかなる特徴も、本明細書で開示される同じ実施形態または異なる実施形態の任意の他の特徴と組み合わされ得る。さらに、例示の実施形態の態様を不明瞭にするのを回避することを目的として、例示されるシステム、方法および装置などの種々のよく知られる態様は本明細書では特に詳細には説明されない。しかし、本明細書ではこのような態様も企図される。
【００４７】
デバイス、システムおよび方法を含めた、本開示の種々の態様は、本質的に例示的である１つまたは複数の実施形態または実装形態を参照して例示され得る。本明細書で使用される「例示」という用語は、「実施例、例または実例として機能する」ということを意味し、本明細書で開示される他の実施形態に対してより好適なまたは有利なものとして必ずしも解釈されるべきではない。加えて、本開示または本発明の「実装形態」を参照することは、その１つまたは複数の実施形態を具体的に参照することを含み、逆も同様であり、これは、以下の説明ではなく添付の特許請求の範囲によって示される本発明の範囲から制限することなく例示的な例を提供することを意図される。
【００４８】
本出願を通して使用される場合の「ｃａｎ」および「ｍａｙ」という単語は許可的な意味で使用され（つまり、可能性を有することを意味する）、義務的な意味（つまり、しなければならないという意味）ではない。加えて、「ｉｎｃｌｕｄｉｎｇ」、「ｈａｖｉｎｇ」、「ｉｎｖｏｌｖｉｎｇ」、「ｃｏｎｔａｉｎｉｎｇ」、「ｃｈａｒａｃｔｅｒｉｚｅｄ  ｂｙ」という用語さらにはそれらの語尾変化（例えば、「ｉｎｃｌｕｄｅｓ」、「ｈａｓ」、「ｉｎｖｏｌｖｅｓ」、「ｃｏｎｔａｉｎｓ」など）、ならびに、特許請求の範囲内を含めた、本明細書で使用される同様の用語は、包括的および／または開放的であるものとされ、「ｃｏｍｐｒｉｓｉｎｇ」という単語およびその語尾変化（例えば、「ｃｏｍｐｒｉｓｅ」および「ｃｏｍｐｒｉｓｅｓ」）と同じ意味を有するものとされ、列記されない追加の要素または方法ステップを排除しない。
【００４９】
本明細書および添付の特許請求の範囲で使用される、単数形「ａ」、「ａｎ」および「ｔｈｅ」が、文脈において特に明記しない限り、複数の対象物も含む、ことに留意されたい。したがって、例えば、単数の対象物（例えば、「ｗｉｄｇｅｔ」）を参照することは、１つ、２つまたはそれ以上の対象物を含む。同様に、複数の対象物を参照することは、内容および／または文脈において特に明記しない限り、１つの対象物および／または複数の対象物を備えるものとして解釈されるべきである。例えば、複数形の対象物（例えば、「ｗｉｄｇｅｔｓ」）を参照することは、複数のそのような対象物を必ずしも必要としない。むしろ、対象物の推測される数に左右されることなく、特に明記しない限りにおいて本明細書では１つまたは複数の対象物が企図される、ことを認識されたい。
【００５０】
本開示は、その精神または本質的な性質から逸脱することなく、他の特定の形態でも具体化され得る。説明される実施形態は、あらゆる点において、単に例示的であるとみなされ、限定的であるとみなされない。したがって、本発明の範囲は、上記の説明によってではなく、添付の特許請求の範囲によって示される。本開示の実施形態を例示することを目的として、本明細書およびａｔｔａｃｈｅｄ  ｄｉｓｃｌｏｓｕｒｅには特定の実施形態および細部が含まれるが、添付の特許請求の範囲で定義される本開示のまたは本発明の範囲から逸脱することなく、本明細書で開示される方法、製品、デバイス、および、装置において、種々の変更がなされ得ることが当業者には明らかであろう。特許請求の範囲と同等の意味および範囲内にあるすべての変更が、特許請求の範囲の範囲に包含される。
【図１】
2020503074.tif 000003
【図２】
2020503074.tif 000004
【図３Ａ】
2020503074.tif 000005
【図３Ｂ】
2020503074.tif 000006
【図３Ｃ】
2020503074.tif 000007
【図４】
2020503074.tif 000008
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
アウトドアバーベキューグリルまたはアウトドアスモーキンググリルの形態にあるデバイス（１００）を、デバイスの目に見える表面の美的外観および構造的完全性を維持しながら組み立てるためのシステムであって、前記システムが、
第１の組み立て部片（１０６）であって、前記第１の組み立て部片が少なくとも１つの組み立て領域（１０５）を備え、前記少なくとも１つの組み立て領域が、第１の接続要素（１１１）および第２の接続要素（１１２）によって画定される開口部を備える、第１の組み立て部片（１０６）と、
第２の組み立て部片（１０４）であって、前記第２の組み立て部片の少なくとも一部分が前記開口部内に適合するように成形される、第２の組み立て部片（１０４）と、
前記第１の組み立て部片を前記第２の組み立て部片に固定するように、前記第１の接続要素および前記第２の接続要素を橋渡しするように構成される締着組立体（１０８）であって、前記締着組立体（１０８）を締めると、前記第２の接続要素（１１２）が変形し、それにより、前記第２の組み立て部片（１０４）の表面を前記第１の接続要素（１１１）の隣接する表面に押圧して、前記目に見える表面の実質的に一様な表面を維持する、締着組立体と
を備える、システム。
【請求項２】
前記第１の接続要素（１１１）が前記第１の組み立て部片の一部分であり、
前記デバイスがグリルを含み、前記第１の組み立て部片（１０６）がグリルスカートを含み、
前記第２の組み立て部片（１０４）が支持脚部を含み、
前記デバイスの前記目に見える表面が前記グリルスカートの目に見える表面を含み、
前記グリルが組み立てられると、前記グリルスカートの前記目に見える表面の前記美的外観および前記構造的完全性が維持される、
請求項１に記載のシステム。
【請求項３】
前記締着組立体（１０８）がねじ式固定具の嵌合対を備え、
前記ねじ式固定具の嵌合対がナットとボルトを備える、
請求項１に記載のシステム。
【請求項４】
前記第１の接続要素（１１１）が第１の材料を含み、前記第２の接続要素（１１２）が第２の材料を含み、
前記第２の材料が展性金属を含み、
前記第２の材料が前記第１の材料より高い展性を有する、
請求項１に記載のシステム。
【請求項５】
前記第２の接続要素（１１２）が、前記第１の接続要素（１１１）の厚さより小さい厚さを有する材料を含み、
前記第２の接続要素（１１２）が、圧縮応力に作用されるときに前記第２の接続要素の少なくとも一部分を変形させる１つまたは複数の多孔性領域または予め脆弱化される領域を備える、
請求項１に記載のシステム。
【請求項６】
前記第２の組み立て部片（１０４）の前記表面が、前記第１の接続要素（１１１）の前記隣接する表面に相補的である輪郭を備え、
前記表面および前記隣接する表面が一体に押圧されるとき、前記締着組立体を締めると、前記第１および第２の接続要素が一体に圧縮され、前記第１の組み立て部片（１０６）の変形を防止する、請求項１に記載のシステム。
【請求項７】
前記第２の組み立て部片（１０４）の前記表面が、前記第１の接続要素（１１１）の前記隣接する表面に相補的である輪郭を備え、
前記表面および前記隣接する表面が一体に押圧されるとき、前記締着組立体を締めると、前記第１の接続要素（１１１）が前記第２の組み立て部片（１０４）の前記表面の前記輪郭に一致する、請求項１に記載のシステム。
【請求項８】
デバイスの目に見える表面の美的外観および構造的完全性を維持しながら、請求項１に記載のデバイスを組み立てる方法であって、前記方法が、
第１の組み立て部片を第２の組み立て部片に位置合わせするステップであって、前記第１の組み立て部片が第１の接続要素（１１１）および第２の接続要素（１１２）を備える、ステップと、
締着組立体（１０８）を使用して前記第１の組み立て部片を前記第２の組み立て部片に固定するステップであって、前記締着組立体が、前記第１の接続要素（１１１）、前記第２の接続要素（１１２）および前記第２の組み立て部片（１０４）を一体に圧縮するように構成される、ステップと、
前記締着組立体を締めるステップであって、前記第２の接続要素（１１２）が変形し、それにより、前記第２の組み立て部片（１０４）の表面を前記第１の接続要素（１１１）の隣接する表面に押圧して、第１の接続部片の目に見える表面が実質的に一様な表面を維持する、ステップと
を含む、方法。
【請求項９】
前記第１の接続要素および前記第２の接続要素によって画定される開口部（１２０）の中に、前記第２の組み立て部片（１０４）の一部分を挿入するステップをさらに含む、請求項８に記載の方法。
【請求項１０】
前記第１の組み立て部片を前記第２の組み立て部片に固定するステップが、前記締着組立体を用いて前記第１の接続要素および前記第２の接続要素を橋渡しするステップを含む、請求項８に記載の方法。
【請求項１１】
グリルスカート（１０６）であって、前記グリルスカート（１０６）が、
実質的に一様な目に見える表面、および、
所定の表面形状または輪郭を有する脚部取り付け領域（１０５）、
を備える、グリルスカート（１０６）と、
接続要素（１１１、１１２）であって、前記接続要素が、前記接続要素と前記脚部取り付け領域との間に開口部が画定されるように前記脚部取り付け領域に付随する、接続要素（１１１、１１２）と、
脚部（１０４）であって、前記脚部の少なくとも一部分が前記開口部内で受けられるように構成される、脚部（１０４）と、
締着組立体（１０８）であって、前記締着組立体が、前記グリルスカート（１０６）、前記脚部（１０４）および前記接続要素を橋渡しするように構成され、前記締着組立体を締めると、前記接続要素が変形し、それにより前記脚部を前記脚部取り付け領域に押圧して、前記グリルスカートの前記実質的に一様な目に見える表面を維持する、締着組立体（１０８）と
を備える、請求項１に記載のデバイス（１００）のグリルスカート（１０６）に脚部を取り付けることを、グリルスカートの目に見える表面を変形させることなく、可能にするように構成されるシステム。
【請求項１２】
前記実質的に一様な目に見える表面および前記脚部が相補的な表面形状を有する、請求項１１に記載のシステム。
【請求項１３】
前記接続要素（１１１、１１２）が、前記グリルスカートより小さい力で変形するように構成される、請求項１１に記載のシステム。
【請求項１４】
前記接続要素（１１１、１１２）が、前記グリルスカート（１０６）を形成する材料とは異なるかまたはそれより薄い材料で形成される、
請求項１３に記載のシステム。
【請求項１５】
前記接続要素（１１１、１１２）が、圧縮応力に作用されるときに前記固定要素の少なくとも一部分を変形させる１つまたは複数の多孔性領域または予め脆弱化される領域を備える、
請求項１３に記載のシステム。
【国際調査報告】
2020503074.tif 000009
2020503074.tif 000010